(57)【要約】【課題】ワイヤーハーネスに対する着脱作業性の向上が図れると共に、パネルにワイヤーハーネスを固定した後にワイヤーハーネスを取り外す必要が生じたときにも、パネルに垂直な方向に引き抜くだけで容易に取り外すことが可能であり、更にワイヤーハーネス上から完全に取り外すことができて、再利用も可能なワイヤーハーネス固定具を提供する。【解決手段】ロックアーム１５の外面と装着穴２７の内面には、一対の突出片１８Ａを合わせることで形成した係合凸部１８を装着穴２７内に収容した場合であって、ロックアーム１５が外側に開いたときに互いに係合し、一方、ロックアーム１５が内側に窄まったときにその係合が解除される係止部１６、２８がそれぞれ設けられている。【選択図】図１
2010233300.tif 000002
【特許請求の範囲】
【請求項１】
ワイヤーハーネスを保持するワイヤーハーネス保持部材と、パネルに固定される係止クリップとを備える、前記ワイヤーハーネスを前記パネルに固定するためのワイヤーハーネス固定具であって、
前記ワイヤーハーネス保持部材は、
周方向の１箇所に開口を有し、且つ、その開口を通してワイヤーハーネスの出し入れが可能な可撓性を有したＣリングと、
前記Ｃリングの周方向の両端に、それぞれ該Ｃリングの半径方向外側に向けて突出するように設けられ、両者を合わせることで前記開口を閉じると共に、その合わせた状態で、外方に突出した１個の係合凸部を形成する一対の突出片と、
を有し、
前記係止クリップは、
一方の面側に形成された、前記パネルの取付孔に挿入係止されるアンカー突起と、
他方の面側に形成された、前記ワイヤーハーネス保持部材の一対の突出片を互いに合わせることで形成した前記係合凸部を、前記パネルに垂直な方向に挿入及び引き抜くことで着脱可能とする装着穴と、
を有し、
前記各突出片には、自由状態で外側に開いた状態となり、且つ内側に押すことで内側に窄んだ状態となる可撓性を有したロックアームが設けられ、
前記ロックアームの外面と前記装着穴の内面には、前記一対の突出片を合わせることで形成した前記係合凸部を前記装着穴内に収容した場合であって、前記ロックアームが外側に開いたときに互いに係合し、一方、前記ロックアームが内側に窄まったときにその係合が解除される係止部がそれぞれ設けられていることを特徴とするワイヤーハーネス固定具。
【請求項２】
前記各突出片が、
前記Ｃリングの周方向の両端から該Ｃリングの半径方向の外側に延出し、且つ前記一対の突出片を合わせたときに互いに当接し合う当接壁と、
前記当接壁の先端から外側に湾曲する湾曲部を介して折り返され、前記Ｃリングの外周側の前記当接壁の基端に近い位置に向けて延びるＵターン壁と、
を有し、
前記Ｕターン壁は、前記ロックアームとして構成されており、該ロックアームの長さ方向の途中の外面には、前記係止部が設けられ、該係止部より先の該ロックアームの先端には、前記Ｃリングの外周に沿いつつ外側に向けて延びるように、該ロックアームを内側に押すための摘み部が設けられている、
ことを特徴とする請求項１に記載したワイヤーハーネス固定具。
【請求項３】
前記係止クリップは、前記ワイヤーハーネス保持部材を結合するための連結ブロックを有しており、
前記結合ブロックは、該連結ブロックの一方の面側には前記アンカー突起が突設され、該連結ブロックの他方の面側には前記装着穴が設けられ、前記アンカー突起の基部には、前記パネルの取付孔へ前記アンカー突起を係合させたときに、前記パネルの表面に押圧接触するスカート部が設けられている、
ことを特徴とする請求項１または２に記載のワイヤーハーネス固定具。
【発明の詳細な説明】
【技術分野】
【０００１】
本発明は、ワイヤーハーネスを車体に固定するためのワイヤーハーネス固定具に係り、特に、ワイヤーハーネスを固定後、必要に応じてワイヤーハーネスを容易に取り外すことのできるワイヤーハーネス固定具に関するものである。
【背景技術】
【０００２】
図３に、特許文献１に記載された従来のワイヤーハーネス固定具の構成を示す。このワイヤーハーネス固定具１００は、自動車に配索されるワイヤハーネスに取り付けられる結束バンド１１０と、該結束バンド１１０に脱着可能に係止される係止クリップ１２０との２つの樹脂成形部品よりなる。
【０００３】
結束バンド１１０は、可撓性を有した帯板状のバンド部１１１と、バンド部１１１の基端に設けられたバンド係合部１１２と、バンド係合部１１２の上面に設けられた矢羽根状の可撓性ロック枠１１３と、その近傍に設けられた位置決め突片１１４とを有している。バンド係合部１１２は、バンド部１１１の先端側を挿入する挿入孔１１２ａを有しており、その挿入孔１１３ａの内部には、挿入されたバンド部１１１を抜け止め係止する係止部（図示略）が設けられている。
【０００４】
一方、係止クリップ１２０は、クリップ本体１２１の一方の面側に、図示しない車体パネルの取付孔に挿入係止されるアンカー突起１２２を備えると共に、他方の面側に、結束バンド１２０の位置決め突片１１４が横方向（取付対象のパネルに平行な方向）からスライド嵌合される嵌合凹部１２３と、位置決め突片１１４がスライド嵌合された際に可撓性ロック枠１１３と係合するロック部（図示略）とを備えている。
【０００５】
このワイヤーハーネス固定具１００を使用してワイヤーハーネスを車体パネルに固定する場合は、まず、結束バンド１１０のバンド部１１１をワイヤーハーネスの外周に巻き付け、バンド部１１１の先端側をバンド係合部１１２の挿入孔１１２ａに挿入して抜け止めし、それにより、結束バンド１１０をワイヤーハーネスに固定する。その際、必要に応じて、バンド部１１１の先端の不要部分をカットして、パネルに固定した際に周囲の邪魔にならないようにする。次に、結束バンド１１０の位置決め突片１１４を、係止クリップ１２０の嵌合凹部１２３にスライド嵌合させ、可撓性ロック枠１１３をロック部にロックさせる。そして、係止クリップ１２０のアンカー突起１２２を車体パネルの取付孔に挿入して係止させることで、ワイヤーハーネスを車体パネルに取り付けることができる。
【０００６】
また、ワイヤーハーネスを車体パネルから取り外す場合は、可撓性ロック枠１１３を撓ませて図示略のロック部に対するロックを解除しながら、位置決め突片１１４を横方向にスライドさせて、係止クリップ１２０の嵌合凹部１２３から引き抜く。そうすることにより、係止クリップ１２０から結束バンド１１０を分離することができ、ワイヤーハーネスを車体パネルから取り外すことができる。
【先行技術文献】
【特許文献】
【０００７】
【特許文献１】特開２００５−３１８７６７号公報（図１）
【発明の概要】
【発明が解決しようとする課題】
【０００８】
ところで、上述のワイヤーハーネス固定具１００を使用した場合は、ワイヤーハーネスに結束バンド１１０を取り付けるときに、バンド部１１１を挿入孔１１２ａに挿入して締め付けるという作業を経る必要があった。また、バンド部１１１の締め付け後に、バンド部１１１の先端の不要部分をカットしないと邪魔になるおそれがあるので、その不要部分をカットするという作業を経る必要があった。また、ワイヤーハーネスを取り外すために結束バンド１１０を係止クリップ１２０から分離させる際に、結束バンド１１０の位置決め突片１１４を、横方向にスライドさせながら、係止クリップ１２０の嵌合凹部１２３から抜く必要があるので、横に障害物がある場合は取り外しが困難となることがあった。また、結束バンド１１０を係止クリップ１２０から分離させてワイヤーハーネスを車体パネルから取り外した場合に、結束バンド１１０がワイヤーハーネス上に残ってしまうことになるため、ワイヤーハーネスと固定具との完全な分離ができないという問題があった。
【０００９】
本発明は、上述した事情に鑑みてなされたものであり、その目的は、ワイヤーハーネスに対する着脱作業性の向上が図れると共に、パネルにワイヤーハーネスを固定した後にワイヤーハーネスを取り外す必要が生じたときにも、パネルに垂直な方向に引き抜くだけで容易に取り外すことが可能であり、更にワイヤーハーネス上から完全に取り外すことができて、再利用も可能なワイヤーハーネス固定具を提供することにある。
【課題を解決するための手段】
【００１０】
前述した目的を達成するために、本発明に係るワイヤーハーネス固定具は、下記（１）〜（３）を特徴としている。
（１）  ワイヤーハーネスを保持するワイヤーハーネス保持部材と、パネルに固定される係止クリップとを備える、前記ワイヤーハーネスを前記パネルに固定するためのワイヤーハーネス固定具であって、
前記ワイヤーハーネス保持部材は、
周方向の１箇所に開口を有し、且つ、その開口を通してワイヤーハーネスの出し入れが可能な可撓性を有したＣリングと、
前記Ｃリングの周方向の両端に、それぞれ該Ｃリングの半径方向外側に向けて突出するように設けられ、両者を合わせることで前記開口を閉じると共に、その合わせた状態で、外方に突出した１個の係合凸部を形成する一対の突出片と、
を有し、
前記係止クリップは、
一方の面側に形成された、前記パネルの取付孔に挿入係止されるアンカー突起と、
他方の面側に形成された、前記ワイヤーハーネス保持部材の一対の突出片を互いに合わせることで形成した前記係合凸部を、前記パネルに垂直な方向に挿入及び引き抜くことで着脱可能とする装着穴と、
を有し、
前記各突出片には、自由状態で外側に開いた状態となり、且つ内側に押すことで内側に窄んだ状態となる可撓性を有したロックアームが設けられ、
前記ロックアームの外面と前記装着穴の内面には、前記一対の突出片を合わせることで形成した前記係合凸部を前記装着穴内に収容した場合であって、前記ロックアームが外側に開いたときに互いに係合し、一方、前記ロックアームが内側に窄まったときにその係合が解除される係止部がそれぞれ設けられていること。
（２）  上記（１）の構成のワイヤーハーネス固定具において、
前記各突出片が、
前記Ｃリングの周方向の両端から該Ｃリングの半径方向の外側に延出し、且つ前記一対の突出片を合わせたときに互いに当接し合う当接壁と、
前記当接壁の先端から外側に湾曲する湾曲部を介して折り返され、前記Ｃリングの外周側の前記当接壁の基端に近い位置に向けて延びるＵターン壁と、
を有し、
前記Ｕターン壁は、前記ロックアームとして構成されており、該ロックアームの長さ方向の途中の外面には、前記係止部が設けられ、該係止部より先の該ロックアームの先端には、前記Ｃリングの外周に沿いつつ外側に向けて延びるように、該ロックアームを内側に押すための摘み部が設けられている、
こと。
（３）  上記（１）または（２）の構成のワイヤーハーネス固定具において、
前記係止クリップは、前記ワイヤーハーネス保持部材を結合するための連結ブロックを有しており、
前記結合ブロックは、該連結ブロックの一方の面側には前記アンカー突起が突設され、該連結ブロックの他方の面側には前記装着穴が設けられ、前記アンカー突起の基部には、前記パネルの取付孔へ前記アンカー突起を係合させたときに、前記パネルの表面に押圧接触するスカート部が設けられている、
こと。
【００１１】
上記（１）の構成のワイヤーハーネス固定具によれば、ワイヤーハーネスを固定する際に、まず、ワイヤーハーネス保持部材のＣリングの開口からＣリングの中へワイヤーハーネスを挿入し、その状態でＣリングの両端に設けた一対の突出片を互いに合わせ、その合わせた状態で一対の突出片によって形成される係合凸部を、係止クリップの装着孔に挿入してロックアームの係止部を装着穴内の係止部に係合させ、その上で、係止クリップのアンカー突起をパネルの取付孔に挿入係止させるだけで、ワイヤーハーネスをパネルに固定することができる。また、予め係止クリップをパネルの取付孔に取り付けた状態で、係止クリップの装着穴に前記係合凸部を挿入して係合させることにより、ワイヤーハーネスをパネルに固定することもできる。
従って、従来の結束バンドをワイヤーハーネスに取り付ける場合のように、バンド部をワイヤーハーネスに締め付ける作業を行う必要がなく、作業手間も掛からずに、簡単にワイヤーハーネスをパネルに固定することができる。
また、ワイヤーハーネスをパネルから取り外す際には、ワイヤーハーネス保持部材に設けたロックアームを内側に撓ませながら、ワイヤーハーネスごとワイヤーハーネス保持部材をパネルに垂直な方向に引く。そうすると、ロックアームによるロックが外れた状態で、前記係合凸部を係止クリップの装着穴から引き抜くことができる。従って、ワイヤーハーネスの横方向に障害物があるような場合でも、難なくワイヤーハーネス保持部材を係止クリップから分離することができる。しかも、分離した状態でワイヤーハーネス保持部材のＣリングの開口を開けば、簡単にＣリングの中からワイヤーハーネスを取り出すことができるので、ワイヤーハーネス上に何も残さずに、ワイヤーハーネスから完全に固定具を取り外すことができる。
このように、上記（１）の構成のワイヤーハーネス固定具によれば、ワイヤーハーネスに対する着脱作業性の向上が図れると共に、パネルに垂直な方向にワイヤーハーネス保持部材を引き抜くだけで、容易に係止クリップからワイヤーハーネス保持部材とワイヤーハーネスを取り外すことができる。また、ワイヤーハーネス上に何も残さずに、完全に固定具を取り外すことができるので、再利用も可能である。
上記（２）の構成のワイヤーハーネス固定具によれば、一対の突出片に、それら突出片を合わせたときに互いに当接する当接壁が設けられているので、確実にガタ付きなくＣリングの開口を閉じた状態に保っておくことができる。また、当接壁の先端から折り返してＣリング側に戻るＵターン壁でロックアームを構成しているので、ロックアームに無理なく充分なバネ性（可撓性）を持たせることができる。また、ロックアームの先端の摘み部を、Ｃリングの外周に沿いつつ外側に向けて延びるように形成しているので、摘み部をＣリングの周壁と当接壁とできるコーナー部分にほぼ隠れた状態で配置することができる。従って、摘み部が邪魔になることがなく、また、間違って摘み部を押してしまうおそれも少ない。
上記（３）の構成のワイヤーハーネス固定具によれば、アンカー突起の基部にパネルの表面に押圧接触するスカート部を設けたので、係止クリップをパネルにガタ付きなく固定することができ、ワイヤーハーネスのガタ付きを最小限に規制することができる。
【発明の効果】
【００１２】
本発明によれば、ワイヤーハーネスに対する着脱作業性の向上が図れると共に、パネルに垂直な方向にワイヤーハーネス保持部材を引き抜くだけで、容易に係止クリップからワイヤーハーネス保持部材とワイヤーハーネスを取り外すことができる。また、ワイヤーハーネス上に何も残さずに、完全に固定具を取り外すことができ、再利用も可能である。
【００１３】
以上、本発明について簡潔に説明した。更に、以下に説明される発明を実施するための形態を添付の図面を参照して通読することにより、本発明の詳細は更に明確化されるであろう。
【図面の簡単な説明】
【００１４】
【図１】本発明の実施形態のワイヤーハーネス固定具の構成を示す側面図で、（ａ）は係止クリップにワイヤーハーネス保持部材を装着する前の状態を示す図、（ｂ）は係止クリップにワイヤーハーネス保持部材を装着し、係止クリップをパネルの取付孔に係合させた状態を示す図である。
【図２】前記ワイヤーハーネス保持部材を係止クリップから取り外すときの状態を示す側面図で、（ａ）は摘み部を内側に押してロックアームの係合を解除した状態を示す図、（ｂ）はその上でワイヤーハーネス保持部材を引き抜いた状態を示す図である。
【図３】従来のワイヤーハーネス固定具の一例を示す斜視図である。
【発明を実施するための形態】
【００１５】
以下、本発明の実施形態を図面を参照して説明する。
図１は実施形態のワイヤーハーネス固定具の構成を示す側面図で、（ａ）は係止クリップにワイヤーハーネス保持部材を装着する前の状態を示す図、（ｂ）は係止クリップにワイヤーハーネス保持部材を装着し、係止クリップをパネルの取付孔に係合させた状態を示す図、図２はワイヤーハーネス保持部材を係止クリップから取り外すときの状態を示す側面図で、（ａ）は摘み部を内側に押してロックアームの係合を解除した状態を示す図、（ｂ）はその上でワイヤーハーネス保持部材を引き抜いた状態を示す図である。
【００１６】
このワイヤーハーネス固定具１は、ワイヤーハーネスをパネルに固定するためのものであり、ワイヤーハーネス（図示せず）を保持するワイヤーハーネス保持部材１０と、パネルＰに固定される係止クリップ２０との２つの樹脂成形部品により構成されている。
【００１７】
ワイヤーハーネス保持部材１０は、周方向の１箇所に開口１２を有し、且つ、その開口１２を通してワイヤーハーネスの出し入れが可能な可撓性を有したＣリング１１と、該Ｃリング１１の周方向の両端に、それぞれ該Ｃリング１１の半径方向外側に向けて突出するように設けられ、両者を合わせることで前記開口１２を閉じると共に、その合わせた状態で、外方に突出した１個の係合凸部１８を形成する一対の突出片１８Ａ、１８Ａと、を備えている。
【００１８】
各突出片１８Ａには、自由状態で外側に開いた状態となり且つ摘み部１７を内側に押すことで内側に窄んだ状態となる可撓性を有したロックアーム１５が設けられている。各突出片１８Ａは、Ｃリング１１の周方向の両端から該Ｃリング１１の半径方向の外側に延出し且つ一対の突出片を合わせたときに互いに当接し合う当接壁１３と、該当接壁１３の先端から外側に湾曲する湾曲部１４を介して折り返され、Ｃリング１１の外周側の当接壁１３の基端に近い位置に向けて延びるＵターン壁とを有しており、このＵターン壁がロックアーム１５として構成されている。
【００１９】
そして、これら各ロックアーム１５の長さ方向の途中の外面に係止部１６（後述する装着穴２７の内部の係止部２８と係合する部分）が設けられ、この係止部１６より先のロックアーム１５の先端に、Ｃリング１１の外周に沿いつつ外側に向けて延びるように摘み部１７が設けられている。これら一対の摘み部１７は、互いに外を向いた押しボタン状に設けられており、両方の摘み部１７を、例えば、Ｃリング１１を跨いで宛がった手の親指と人差し指とで摘めるようになっている。
【００２０】
一方、係止クリップ２０は、ワイヤーハーネス保持部材１０を結合するための連結ブロック２６を有している。連結ブロック２６の一方の面側には、パネルＰの取付孔Ｐａに挿入係止されるアンカー突起２１が突設されている。
【００２１】
アンカー突起２１は、連結ブロック２６の一方の面に立設された支柱部２２と、その支柱部２２の先端頭部から支柱部２２の基端方向に向けて斜めに延出する複数の弾性係止羽根２３とを有している。複数の弾性係止羽根２３は、自由状態で開いており、パネルＰの取付孔Ｐａにアンカー突起２１の先端が差し込まれた際に、パネルＰの取付孔Ｐａの周縁と干渉することで内側にいったん窄まり、最外周部が取付孔Ｐａの周縁を通過した段階で外側に弾性復帰して、自由端の外面に形成された係止段部２４を、パネルＰの取付孔Ｐａの周縁の裏面側に係止させ、それにより取付孔Ｐａに抜け止めされるようになっている。また、アンカー突起２１の基部には、パネルＰの取付孔Ｐａへアンカー突起２１を係合させたときに、パネルＰの表面に押圧接触するスカート部（皿とも言う）２５が設けられている。
【００２２】
また、連結ブロック２６の他方の面側には、ワイヤーハーネス保持部材１０の一対の突出片１８Ａ、１８Ａを互いに合わせることで形成した係合凸部１８を、パネルＰに垂直な方向に挿入及び引き抜くことで着脱可能とする装着穴２７が設けられている。装着穴２７の内部は、係合凸部１８の形状に合わせて形成されており、装着穴２７の内面には、一対の突出片１８Ａ、１８Ａを合わせることで形成した係合凸部１８を装着穴２７内に収容した状態で、ロックアーム１５が外側に開いたときにロックアーム１５側の係止部１６と係合し、ロックアーム１５が内側に窄まったときにロックアーム１５の係止部１６との係合が外れる係止部２８が設けられている。
【００２３】
次に作用を説明する。
まず、ワイヤーハーネスをパネルＰに固定する場合には、ワイヤーハーネス保持部材１０のＣリング１１の開口１２からＣリング１１の中へワイヤーハーネスを挿入し、その状態で、図１（ｂ）に示すように、Ｃリング１１の両端に設けた一対の突出片１８Ａ、１８Ａを互いに閉じ合わせ、その閉じ合わせた状態で一対の突出片１８Ａ、１８Ａによって形成される係合凸部１８を、係止クリップ２０の装着孔２７に挿入して、ロックアーム１５の係止部１６を装着穴２７内の係止部２８に係合させる。そしてその上で、係止クリップ２０のアンカー突起２１をパネルＰの取付孔Ｐａに挿入して係止させる。こうすることにより、ワイヤーハーネスをパネルＰに固定することができる。
【００２４】
なお、予め係止クリップ２０を先にパネルＰの取付孔Ｐａに取り付けた状態にしておき、後から係止クリップ２０の装着穴２７にワイヤーハーネス保持部材１０の係合凸部１８を挿入して係合させることにより、ワイヤーハーネスをパネルに固定することもできる。
【００２５】
このような操作でワイヤーハーネスをパネルＰに取り付けるので、従来の結束バンドをワイヤーハーネスに取り付ける場合のように、バンド部をワイヤーハーネスに締め付ける作業を行う必要がなく、作業手間も掛からずに、簡単にワイヤーハーネスをパネルに固定することができる。
【００２６】
また、ワイヤーハーネスをパネルＰから取り外す場合には、図２（ａ）に示すように、ワイヤーハーネス保持部材１０に設けた摘み部１７を内側（矢印Ｆ方向）に押してロックアーム１５を内側に撓ませる。そうすると、ロックアーム１５の係止部１６と装着穴２の係止部２８の係合が外れるので、そのまま、図２（ｂ）に示すように、ワイヤーハーネスごとワイヤーハーネス保持部材１０をパネルＰに垂直な方向（矢印Ｂ方向）に引く。そうすると、ロックアーム１５によるロックが外れた状態で、係合凸部１８を係止クリップ２０の装着穴２７から引き抜くことができる。
【００２７】
従って、ワイヤーハーネスの横方向に障害物があるような場合でも、難なくワイヤーハーネス保持部材１０を係止クリップ２０から分離することができる。しかも、分離した状態でワイヤーハーネス保持部材１０のＣリング１１の開口１２を開けば、簡単にＣリング１１の中からワイヤーハーネスを取り出すことができる。そのため、ワイヤーハーネス上に何も残さずに、ワイヤーハーネスから完全に固定具１のワイヤーハーネス保持部材１０を取り外すことができる。
【００２８】
このように、本実施形態のワイヤーハーネス固定具１によれば、ワイヤーハーネスに対する着脱作業性の向上が図れると共に、パネルＰに垂直な方向にワイヤーハーネス保持部材１０を引き抜くだけで、容易に係止クリップ２０からワイヤーハーネス保持部材１０とワイヤーハーネスを取り外すことができる。また、ワイヤーハーネス上に何も残さずに、完全にワイヤーハーネス固定具１のワイヤーハーネス保持部材１０を取り外すことができるので、再利用も可能である。
【００２９】
また、本実施形態のワイヤーハーネス固定具１によれば、一対の突出片１８Ａ、１８Ａに、それら突出片１８Ａ、１８Ａを合わせたときに互いに当接する当接壁１３が設けられているので、確実にガタ付きなくＣリング１１の開口１２を閉じた状態に保っておくことができる。また、当接壁１３の先端からＵターンしてＣリング１１側に戻るＵターン壁でロックアーム１５を構成しているので、ロックアーム１５に無理なく充分なバネ性（可撓性）を持たせることができる。
【００３０】
また、ロックアーム１５の先端の摘み部１７を、Ｃリング１１の外周に沿いつつ外側に向けて延びるように形成しているので、摘み部１７をＣリング１１の周壁と当接壁１３とできるコーナー部分にほぼ隠れた状態で配置することができる。従って、摘み部１７が邪魔になることがなく、また、間違って摘み部１７を押してしまうおそれも少ない。
【００３１】
また、本実施形態のワイヤーハーネス固定具１では、アンカー突起２１の基部に、パネルＰの表面に押圧接触するスカート部２５を設けているので、係止クリップ２０をパネルＰにガタ付きなく固定することができ、ワイヤーハーネスのガタ付きを最小限に規制することができる。
【００３２】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００３３】
１  ワイヤーハーネス固定具
１０  ワイヤーハーネス保持部材
１１  Ｃリング
１２  開口
１３  当接壁
１４  湾曲部
１５  ロックアーム
１６  係止部
１７  摘み部
１８  係合凸部
１８Ａ  突出片
２０  係止クリップ
２１  アンカー突起
２６  連結ブロック
２７  装着穴
２８  係止部
Ｐ  パネル
Ｐａ  取付孔
【図１】
2010233300.tif 000003
【図２】
2010233300.tif 000004
【図３】
2010233300.tif 000005